【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
鼻孔拡張器であって、
ユーザによって装着されるときに鼻の中隔にわたるように構成される中央部と、
前記中央部から第１の平面内に延びる第１の脚部材及び第２の脚部材と、
を含む実質的にＵ字形の本体と、
前記Ｕ字形本体から外方に第２の平面内に延びる第１の片持ちリブ部材と、
前記Ｕ字形本体から外方に第３の平面内に延びる第２の片持ちリブ部材と、
前記第１の脚部材の端を前記第１の片持ちリブ部材の近位端に接続する、前記第１の平面から前記第２の平面に延びる、第１の中間区域と、
前記第２の脚部材の端を前記第２の片持ちリブ部材の近位端に接続する、前記第１の平面から前記第３の平面に延びる、第２の中間区域と、
前記第１の片持ちリブ部材及び前記第２の片持ちリブ部材の各々から隆起する及びその長さの少なくとも一部に沿って延びる少なくとも１つの突出部と
を備え、
前記第１の片持ちリブ部材及び前記第２の片持ちリブ部材は互いから離れる方に延びている、
鼻孔拡張器。
【請求項２】
前記少なくとも１つの突出部が、前記鼻孔拡張器の主表面のそれぞれの細長い縁に配置されるフランジを各々形成する、第１の突出部及び第２の突出部を含み、
前記少なくとも１つの突出部が、使用中に鼻の内面と係合するように構成される、
請求項１に記載の鼻孔拡張器。
【請求項３】
（ｉ）前記第２の平面及び前記第３の平面が前記第１の平面と直交し、
（ｉｉ）前記第１の中間区域及び前記第２の中間区域が直角をなす区域であり、および／または
（ｉｉｉ）前記第１の中間区域及び前記第２の中間区域が、使用中に中隔と係合し、前記中隔から鼻の前記柱及び翼状線維脂肪性組織の後ろへ延びて、前記第１の片持ちリブ部材及び前記第２の片持ちリブ部材が使用中に各鼻の穴に沿って鼻孔の内壁に延びることを可能にするように構成される、
請求項１または請求項２に記載の鼻孔拡張器。
【請求項４】
（ｉ）前記第１の片持ちリブ部材及び前記第２の片持ちリブ部材が、その長さに沿って各々湾曲を有する、弓形片持ちリブ部材であり、および／または
（ｉｉ）前記第１の中間区域及び前記第２の中間区域が、その長さに沿って各々湾曲を有する、弓形中間区域である、
請求項１〜３のいずれか１項に記載の鼻孔拡張器。
【請求項５】
前記第２の平面及び前記第３の平面が、前記第１の片持ちリブ部材及び前記第２の片持ちリブ部材が実質的に前記Ｕ字形本体の前記中央部の方に角度をつけられる及び／又は延びるように、収束する平面である、請求項１〜４のいずれか１項に記載の鼻孔拡張器。
【請求項６】
（ｉ）前記第２の平面及び前記第３の平面が、前記第１の片持ちリブ部材及び前記第２の片持ちリブ部材が実質的に前記Ｕ字形本体の前記中央部の方に角度をつけられる及び／又は延びるように、分岐する平面であり、または
（ｉｉ）前記第２の平面と前記第３の平面が同じ平面である、
請求項１〜請求項５のいずれか１項に記載の鼻孔拡張器。
【請求項７】
前記第１の片持ちリブ部材及び前記第２の片持ちリブ部材が、円、楕円、又は放物線のうちの１つの少なくとも一部に類似した細長いアーチ状の外形を呈する、請求項１〜６のいずれか１項に記載の鼻孔拡張器。
【請求項８】
前記第１の脚部材及び前記第２の脚部材が、前記ユーザによって身につけられたときに鼻の柱に適応するべく前記第１の脚部材と前記第２の脚部材との間の距離が前記中央部に向かうにつれて比較的より大きくなるように、互いの方に傾斜される、請求項１〜７のいずれか１項に記載の鼻孔拡張器。
【請求項９】
前記第１の中間区域及び前記第２の中間区域が、前記ユーザによって装着されるときにそれぞれ前記第１の片持ちリブ部材及び前記第２の片持ちリブ部材を各鼻孔の内壁に付勢するのを支援するために、互いから離れる方に傾斜される、請求項１〜８のいずれか１項に記載の鼻孔拡張器。
【請求項１０】
前記第１の片持ちリブ部材及び前記第２の片持ちリブ部材が、各鼻孔の内壁と係合するための第１の鼻孔係合要素及び第２の鼻孔係合要素をそれぞれ備える、請求項１〜９のいずれか１項に記載の鼻孔拡張器。
【請求項１１】
（ｉ）前記第１の鼻孔係合要素及び前記第２の鼻孔係合要素が、それぞれの前記第１のリブ部材及び前記第２のリブ部材のそれぞれの前記第１の遠位端及び前記第２の遠位端から弓形に延び、
（ｉｉ）前記第１の鼻孔係合要素及び前記第２の鼻孔係合要素が、それぞれ前記第１の平面及び前記第２の平面から、前記Ｕ字形本体の前記中央部から離れる方向に延び、および／または
（ｉｉｉ）前記第１の鼻孔係合要素及び前記第２の鼻孔係合要素が、それぞれ前記第１の片持ちリブ部材の遠位端及び前記第２の片持ちリブ部材の遠位端に配置される、
請求項１０に記載の鼻孔拡張器。
【請求項１２】
前記第１の鼻孔係合要素及び前記第２の鼻孔係合要素上に配置される一連の隆起部をさらに備える、請求項１０または請求項１１に記載の鼻孔拡張器。
【請求項１３】
（ｉ）前記第１の鼻孔係合要素及び前記第２の鼻孔係合要素が実質的に細長く、前記一連の隆起部が前記第１の鼻孔係合要素及び前記第２の鼻孔係合要素の長さに沿って延び、
（ｉｉ）前記一連の隆起部が複数の細長いＶ字形隆起部を含み、および／または
（ｉｉｉ）前記一連の隆起部がオーバーモールド材料から形成される、
請求項１２に記載の鼻孔拡張器。
【請求項１４】
大きくされたパッドが、前記鼻孔の内壁と係合するように前記第１の鼻孔係合要素及び前記第２の鼻孔係合要素上に配置され、
任意選択的に、前記大きくされたパッドが前記一連の隆起部を備える、
請求項１０〜１３のいずれか１項に記載の鼻孔拡張器。
【請求項１５】
前記少なくとも１つの突出部が、前記一連の隆起部のうちの対応する隆起部と一体化され、そこから延び、および／または
前記少なくとも１つの突出部がオーバーモールド材料から形成される、
請求項１２〜１４のいずれか１項に記載の鼻孔拡張器。
【請求項１６】
前記第１の片持ちリブ部材及び前記第２の片持ちリブ部材をそれぞれ前記Ｕ字形本体に解放可能に取り付けるための第１の解放可能な取付機構及び第２の解放可能な取付機構をさらに備える、請求項１〜１５のいずれか１項に記載の鼻孔拡張器。
【請求項１７】
前記解放可能な取付機構が、前記第１の片持ちリブ部材の遠位端及び前記第２の片持ちリブ部材の遠位端に配置される第１の鼻孔係合要素及び第２の鼻孔係合要素を、それぞれ前記第１の脚部材及び前記第２の脚部材に解放可能に取り付けるように構成され、それぞれ前記第１の中間区域及び前記第２の中間区域に解放可能に取り付けるように構成される、請求項１６に記載の鼻孔拡張器。
【請求項１８】
前記解放可能な取付機構が、各々、アームと、前記アームを受け入れる及び係合するように構成されるソケットとを備える、請求項１６または請求項１７に記載の鼻孔拡張器。
【請求項１９】
（ｉ）前記アームが前記ソケットから引き出されるのを妨げるために前記アームの端にストッパ又はフックが配置され、および／または
（ｉｉ）ノッチが、前記ソケットの内面上に配置され、前記アームが前記ソケットから引き出されるのを妨げるために前記アーム上の前記ストッパ又はフックと係合するように構成される、
請求項１８に記載の鼻孔拡張器。
【請求項２０】
前記アームが、それぞれ、前記第１の片持ちリブ部材の第１の鼻孔係合要素の内面上及び前記第２の片持ちリブ部材の第２の鼻孔係合要素の内面上に配置され、前記ソケットが、前記第１の脚部材及び前記第２の脚部材の上に配置され、または前記第１の中間区域及び前記第２の中間区域の上に配置される、請求項１８または請求項１９のいずれかに記載の鼻孔拡張器。
【請求項２１】
前記ソケットが、それぞれ、前記第１の片持ちリブ部材の第１の鼻孔係合要素の内面上及び前記第２の片持ちリブ部材の第２の鼻孔係合要素の内面上に配置され、前記アームが、前記第１の脚部材及び前記第２の脚部材の上に配置され、または前記第１の中間区域及び前記第２の中間区域の上に配置される、請求項１８または請求項１９に記載の鼻孔拡張器。
【請求項２２】
鼻孔拡張器であって、
ユーザによって装着されるときに鼻の中隔にわたるように構成される中央部と、
前記中央部から第１の平面内に延びる第１の脚部材及び第２の脚部材と、
を含む実質的にＵ字形の本体と、
前記Ｕ字形本体から外方に第２の平面内に延びる第１の片持ちリブ部材と、
前記Ｕ字形本体から外方に第３の平面内に延びる第２の片持ちリブ部材と、
前記第１の片持ちリブ部材及び前記第２の片持ちリブ部材は互いから離れる方に延び、
前記第１の脚部材の端を前記第１の片持ちリブ部材の近位端に接続する、前記第１の平面から前記第２の平面に延びる、第１の中間区域と、
前記第２の脚部材の端を前記第２の片持ちリブ部材の近位端に接続する、前記第１の平面から前記第３の平面に延びる、第２の中間区域と、
前記第１の片持ちリブ部材の遠位端を前記第１の中間区域に解放可能に取り付けるための第１の解放可能な取付機構と、
前記第２の片持ちリブ部材の遠位端を前記第２の中間区域に解放可能に取り付けるための第２の解放可能な取付機構と、
を備える鼻孔拡張器。